(57)【要約】      （修正有）【課題】受信機が、迅速に上記音声データに関する属性情報を取得できるようにする。【解決手段】放送信号送信装置１は、放送信号受信装置にデジタル放送信号を送信する放送信号送信装置であって、コンテンツを含む複数のＭＭＴＰパケットをデジタル放送信号として送信すると共に、コンテンツの音声コンポーネントに関する属性情報を送信する。コンテンツは、内容が同じであり属性情報が異なる複数の音声コンポーネントを含んでいる。属性情報は、属性情報を受信した放送信号受信装置が、音声コンポーネントを放送信号受信装置にて再生可能かを判定するために用いる情報である。【選択図】図１
2018207495.tif 000002
【特許請求の範囲】
【請求項１】
放送信号受信装置にデジタル放送信号を送信する放送信号送信装置であって、
コンテンツを含む複数のＭＭＴＰパケットをデジタル放送信号として送信すると共に、前記コンテンツの音声コンポーネントに関する属性情報を送信し、
前記コンテンツは、内容が同じであり前記属性情報が異なる複数の音声コンポーネントを含んでおり、
前記属性情報は、当該属性情報を受信した前記放送信号受信装置が、前記音声コンポーネントを前記放送信号受信装置にて再生可能かを判定するために用いる情報である、ことを特徴とする放送信号送信装置。
【請求項２】
放送信号受信装置にデジタル放送信号を送信する放送信号送信装置が実行する放送信号送信方法であって、
前記放送信号送信装置は、コンテンツを含む複数のＭＭＴＰパケットをデジタル放送信号として送信すると共に、前記コンテンツの音声コンポーネントに関する属性情報を送信する送信ステップを実行し、
前記コンテンツは、内容が同じであり前記属性情報が異なる複数の音声コンポーネントを含んでおり、
前記属性情報は、当該属性情報を受信した前記放送信号受信装置が、前記音声コンポーネントを前記放送信号受信装置にて再生可能かを判定するために用いる情報である、ことを特徴とする放送信号送信方法。
【請求項３】
請求項１に記載の放送信号送信装置としてコンピュータを機能させるための制御プログラムであって、コンピュータに、前記コンテンツを含む複数のＭＭＴＰパケットをデジタル放送信号として送信すると共に前記属性情報を送信する処理を実行させるための制御プログラム。
【請求項４】
請求項３に記載の制御プログラムを記録したコンピュータ読み取り可能な記録媒体。
【発明の詳細な説明】
【技術分野】
【０００１】
本発明は、放送信号送信装置、放送信号送信方法、制御プログラム、および記録媒体に関する。
【背景技術】
【０００２】
近年、高精細度テレビジョン放送（ＨＤＴＶ）を超える飛躍的な高画質化に資する映像技術等の研究開発が急速に進展しており、４Ｋ・８Ｋに対応した超高精細度テレビジョン放送（ＵＨＤＴＶ）の実現が期待されている。このため、ＵＨＤＴＶの規格の策定が進められている。なお、４ＫのＵＨＤＴＶは、画素数が横3840×縦2160＝8,294,400であり、従来のフルＨＤＴＶ（横1920×縦1080＝2,073,600）の４倍である。また、８ＫのＵＨＤＴＶは、画素数が横7680×縦4320＝33,177,600であり、上記フルＨＤＴＶの１６倍である。
【先行技術文献】
【特許文献】
【０００３】
【特許文献１】特開平０６−１３２９１２号公報（１９９４年０５月１３日公開）
【発明の概要】
【発明が解決しようとする課題】
【０００４】
上記ＵＨＤＴＶの規格では、２２．２ｃｈの立体音響システムに対応している。また、上記ＵＨＤＴＶでは、上記ＨＤＴＶなどの従来のＴＶ放送で利用されている種々の音声フォーマットにも対応する必要がある。また、放送サービスと通信サービスとの連携が図られており、このため、通信サービスにて利用されている種々の音声フォーマットにも対応する必要がある。
【０００５】
このため、ＴＶ受信機などの受信機は、複数の音声フォーマットにそれぞれ対応する複数のファームウェアを予め記憶するメモリを備えている。そして、オーディオデコーダは、音声データを受信すると、まず、当該音声データのヘッダを解析して当該音声データの音声フォーマットを特定する。次に、上記オーディオデコーダは、特定した音声フォーマットに対応するファームウェアを上記メモリから読み出して、上記ファームウェアで上記オーディオデコーダの内蔵メモリを書き換える。そして、上記オーディオデコーダは、書き換えられたファームウェアに基づいて、当該音声データをデコードする。
【０００６】
これにより、上記受信機は、種々の音声フォーマットに対応することができる。しかしながら、この場合、上記音声データをデコードするまでに時間がかかることになる。その結果、上記受信機が音声データを受信してから、該音声データから再生された音声を出力するまでに時間がかかることになる。
【０００７】
また、上記受信機の全てが、２２．２ｃｈの立体音響システムに対応しているとは限らない。さらに、オーディオデコーダは、デバイス性能および内蔵メモリの制限により、通信サービスにて利用されている種々の音声フォーマットの全てに対応することは困難である。
【０００８】
このため、上記オーディオデコーダが、上記音声データのヘッダを解析して、当該音声データから音声を再生できないと判定すると、その旨を示すコーション（警告）を上記受信機が報知する必要がある。しかしながら、この場合も、上記オーディオデコーダが上記音声データのヘッダを解析する必要があるので、上記受信機が音声データを受信してから上記コーションを報知するまでに時間がかかることになる。
【０００９】
また、上記ヘッダはデータ長が通常制限される。したがって、対応可能な音声フォーマット、音声チャンネル数なども制限されることになる。これに対し、特許文献１に記載のオーディオパケットデコーダでは、オーディオデータとオーディオ制御情報とが互いに別のパケットに構成されている。該パケットからヘッダ情報をデコードすることにより、オーディオ制御情報を持つパケットと、オーディオデータを持つパケットとを識別できる。そして、オーディオ制御情報を持つパケットから取り出されたオーディオ制御情報を記憶し、記憶された制御情報を用いて、オーディオデータを持つパケットから音声情報を復元し、出力する。
【００１０】
これにより、より多くの音声フォーマット、音声チャンネル数などに対応することができる。しかしながら、特許文献１に記載のオーディオパケットデコーダでは、時間がかかるという上記問題点は解消されない。
【００１１】
本発明は、上記の問題点に鑑みてなされたものであり、その目的は、受信機が、迅速に上記音声データに関する属性情報を取得することができるような送信装置を提供することにある。
【課題を解決するための手段】
【００１２】
本発明の一態様に係る放送信号送信装置は、放送信号受信装置にデジタル放送信号を送信する放送信号送信装置であって、コンテンツを含む複数のＭＭＴＰパケットをデジタル放送信号として送信すると共に、前記コンテンツの音声コンポーネントに関する属性情報を送信し、前記コンテンツは、内容が同じであり前記属性情報が異なる複数の音声コンポーネントを含んでおり、前記属性情報は、当該属性情報を受信した前記放送信号受信装置が、前記音声コンポーネントを前記放送信号受信装置にて再生可能かを判定するために用いる情報である。
【００１３】
本発明の一態様に係る放送信号送信方法は、放送信号受信装置にデジタル放送信号を送信する放送信号送信装置が実行する放送信号送信方法であって、前記放送信号送信装置は、コンテンツを含む複数のＭＭＴＰパケットをデジタル放送信号として送信すると共に、前記コンテンツの音声コンポーネントに関する属性情報を送信する送信ステップを実行し、前記コンテンツは、内容が同じであり前記属性情報が異なる複数の音声コンポーネントを含んでおり、前記属性情報は、当該属性情報を受信した前記放送信号受信装置が、前記音声コンポーネントを前記放送信号受信装置にて再生可能かを判定するために用いる情報である。
【発明の効果】
【００１４】
本発明の一態様によれば、ハイブリッドキャストに対応した受信装置に、受信したコンテンツの音声データをデコードしてヘッダを解析することなく、上記音声データに関する属性情報を取得させることができる。
【図面の簡単な説明】
【００１５】
【図１】本発明の一実施形態に係る放送信号伝送システムに含まれる送信機の要部構成の一例を示すブロック図である。
【図２】上記放送信号伝送システムに含まれる受信機の要部構成の一例を示すブロック図である。
【図３】放送信号と共に送信されるＡＩＴと該ＡＩＴに従ったアプリの起動例を示す図である。
【図４】音声属性情報の具体例を表形式で示す図である。
【図５】上記放送信号伝送システムに含まれる受信機で実行される音声属性情報に関する処理の一例を示すフローチャートである。
【図６】タイミング指定情報と、該タイミング指定情報に応じた音声の属性の変化の例を示す図である。
【図７】上記受信機における表示画面の一例を示す図である。
【図８】上記受信機で実行される音声属性情報に関する処理の一例を示すフローチャートである。
【図９】本発明の別の実施形態に係る放送信号伝送システムの要部構成の一例を示すブロック図である。
【図１０】上記放送信号伝送システムに含まれる受信機で実行される音声属性情報に関する処理の一例を示すフローチャートである。
【図１１】本発明の別の実施形態に係る放送信号伝送システムの概略構成を示す図である。
【図１２】上記放送信号伝送システムに含まれる受信機および端末装置の要部構成の一例を示すブロック図である。
【図１３】本発明の別の実施形態に係る放送信号伝送システムに含まれる受信機の要部構成の一例を示すブロック図である。
【発明を実施するための形態】
【００１６】
〔実施形態１〕
以下、本発明の実施の形態について、詳細に説明する。まず、本実施形態に係る放送信号伝送システムの構成を図１に基づいて説明する。図１は、放送信号伝送システム５に含まれる送信機（送信装置、制御情報生成装置）１の要部構成の一例を示すブロック図である。
【００１７】
放送信号伝送システム５は、送信機１から受信機（受信装置）２に映像信号および音声信号等（以下、「映像信号等」と略称する）を伝送するシステムである。放送信号伝送システム５は、放送経路を介して伝送するコンテンツの音声に関する属性情報を、通信経路を介して受信機２に取得させる。なお、次世代の４Ｋ／８Ｋ放送では、ＭＭＴ（MPEG Media Transport）フォーマットで信号が送信されることが検討されている。そこで、本実施形態では、ＭＭＴフォーマットにて映像信号を伝送する例を説明する。
【００１８】
送信機１は、映像信号等の形態でコンテンツを送信する。より詳細には、送信機１は、放送経路（放送伝送路）を介してコンテンツを構成する各パケット（ＭＭＴＰパケット：MMT Protocol パケット）を送信する。一方の受信機２は、このコンテンツ（放送経路で配信されるコンテンツ）の受信機能を備えていると共に、例えばインターネット等の通信網を介して通信経路（通信伝送路）で配信されるコンテンツの受信機能も備えている。そして、受信機２は、これら２つの経路を介して受信した各コンテンツを組み合わせて再生することができる。なお、同図では、受信機２を１つのみ記載しているが、送信機１は複数の受信機２に対してコンテンツをブロードキャストする。
【００１９】
〔送信機の構成〕
送信機１は、図示のように、オーディオエンコーダ１０、ビデオエンコーダ１１、多重化部１２、暗号化部１３、送信部（制御情報送信手段）１４、制御部１５、および通信Ｉ／Ｆ１６を備えている。また、制御部１５には、エンコード制御部１５１、音声属性取得部（属性取得手段）１５２、音声属性通知部（属性情報送信手段）１５３、および制御情報生成部（制御情報生成手段）１５４が含まれている。
【００２０】
オーディオエンコーダ１０は、送信機１が送信するコンテンツのオーディオ（音声）ストリームをエンコード（符号化）して多重化部１２に出力する。同様に、ビデオエンコーダ１１は、送信機１が送信するコンテンツのビデオ（映像）ストリームをエンコード（符号化）して多重化部１２に出力する。
【００２１】
多重化部１２は、オーディオエンコーダ１０が出力したオーディオストリーム、ビデオエンコーダ１１が出力したビデオストリーム、および制御部１５が出力した制御情報を多重化して暗号化部１３に出力する。
【００２２】
暗号化部１３は、多重化部１２が出力する多重化ストリームを暗号化して送信部１４に出力する。そして、送信部１４は、暗号化部１３が出力する暗号化されたデータをパケットとして、デジタル放送信号の形態で放送経路にて受信機２に送信する。
【００２３】
制御部１５は、送信機１の備える各部の制御等を行う。具体的には、制御部１５に含まれるエンコード制御部１５１は、オーディオエンコーダ１０およびビデオエンコーダ１１を制御してエンコードを行わせる。
【００２４】
音声属性取得部１５２は、送信機１が送信するコンテンツの音声に関する属性情報である音声属性情報を取得する。音声属性取得部１５２は、取得した音声属性情報を音声属性通知部１５３に出力する。なお、音声属性情報の内容が変更されると、音声属性取得部１５２は、音声属性情報が変更されたことおよび音声属性情報を制御情報生成部１５４に出力してもよい。
【００２５】
音声属性情報の例としては、音声フォーマット、音声のチャンネル数、サブウーファ（ＳＷ）のチャンネル数、サイマル放送の形態およびチャンネル、サンプリングレート、量子化ビット数などが挙げられる。これらのうち、音声フォーマット、音声のチャンネル数、サブウーファ（ＳＷ）のチャンネル数、サンプリングレート、および量子化ビット数は、エンコード制御部１５１から取得することができる。一方、サイマル放送の形態およびチャンネルは、送信機１が送信（放送）するコンテンツ（番組）の詳細情報を提供する外部のサーバ（図示せず）などから取得することができる。なお、音声属性情報の詳細は後述する。
【００２６】
音声属性通知部１５３は、音声属性取得部１５２が取得した音声属性情報を受信機２に通知する。具体的には、音声属性通知部１５３は、受信機２からの要求に応じて、通信経路を用いる通信Ｉ／Ｆ１６を介して音声属性情報を当該受信機２に送信する。
【００２７】
制御情報生成部１５４は、送信機１が送信するコンテンツを受信機２が再生するための制御情報を生成する。この制御情報は、ＭＭＴではＭＭＴ−ＳＩ（Service Information）と呼ばれるものであり、コンテンツに関する種々の情報が含まれるが、ここでは、ＭＭＴ−ＳＩのうち、コンテンツの映像の出力中に実行されるプログラム（ソフトウェア）に関する情報が記述されたＡＩＴ（Application Information Table）の生成に絞って説明する。
【００２８】
このように、送信機１では、音声属性取得部１５２が音声属性情報を取得する処理（音声属性取得ステップ）を実行する。また、制御情報生成部１５４が、多重化部１２における上記オーディオストリームおよび上記ビデオストリームからＭＭＴＰパケットへの変換を参照して、上記音声属性情報を取得するための制御情報（ＡＩＴ）を生成する処理（制御情報生成ステップ）を実行する。そして、送信部１４が上記制御情報を放送経路を介して受信機２に送信（放送）する処理（制御情報送信ステップ）を実行する。該制御情報に従って音声属性情報の送信を要求する受信機２に対し、音声属性通知部１５３が音声属性情報を通信経路にて送信する処理（音声属性送信ステップ）を実行する。
【００２９】
したがって、このＡＩＴを受信した受信機２において、該ＡＩＴと共に放送経路で受信したコンテンツをその音声属性情報に応じた適切な処理を行って音声出力させたり、受信機２が当該コンテンツの音声データに対応していない旨を示すコーションを報知させたりすることが可能になる。
【００３０】
なお、音声属性取得部１５２は、送信機１が送信するコンテンツが切り替わる場合、切り替え後のコンテンツの音声属性情報を取得し、音声属性通知部１５３は、新たに取得された音声属性情報を受信機２に送信する。このように、コンテンツの変化に追従して、異なる音声属性情報を送信することにより、常に最適な処理によってコンテンツを再生させることが可能になる。なお、上記の例のように、ＡＩＴを書き換えることなく、通信経路を介して受信機２に送信する音声属性情報を切り替えてもよいし、送信する音声属性情報の変更に伴い、当該変更後の音声属性情報が受信機２によって取得されるようにＡＩＴを書き換えてもよい。
【００３１】
〔受信機の構成〕
続いて、受信機２の構成を図２に基づいて説明する。図２は、受信機２の要部構成の一例を示すブロック図である。受信機２は、図示のように、チューナ２０、通信Ｉ／Ｆ２１、復号部２２、逆多重化部２３、オーディオデコーダ（音声処理変更手段）２４、ビデオデコーダ２５、表示制御部２７、ディスプレイ２８、入力部２９、制御部３０、音声出力制御部３１、およびスピーカ３２を備えている。また、制御部３０には、復号制御部３０１、逆多重化制御部３０２、制御情報取得部（制御情報取得手段）３０３、アプリ制御部３０４、音声属性情報取得部（判定手段）３０５、および選択部（音声処理変更手段、切替手段、選択手段）３０６が含まれている。
【００３２】
チューナ２０は、放送経路にてデジタル放送信号として送信されるコンテンツ等を受信して復号部２２に出力する。一方、通信Ｉ／Ｆ２１は、通信経路にて送信されるコンテンツ等を受信して復号部２２に出力する（図における矢印は省略）。つまり、受信機２は、放送経路と通信経路とを併用したハイブリッドキャストに対応した受信装置である。
【００３３】
また、通信Ｉ／Ｆ２１は、通信経路にて送信される音声属性情報を受信して、音声属性情報を制御部３０に出力する。
【００３４】
復号部２２は、チューナ２０および通信Ｉ／Ｆ２１を介して受信したコンテンツが暗号化されていた場合、これを復号して逆多重化部２３に出力する。
【００３５】
逆多重化部２３は、復号部２２が出力するデータ（暗号は復号されているが多重化されている）を逆多重化する。そして、逆多重化によって得られた当該コンテンツの各構成要素（コンポーネント）を、当該コンポーネントの種別に応じて処理する。具体的には、逆多重化部２３は、オーディオのコンポーネントをオーディオデコーダ２４に出力し、ビデオのコンポーネントをビデオデコーダ２５に出力し、制御情報を制御情報取得部３０３に出力する。
【００３６】
オーディオデコーダ２４は、制御部３０から通知される音声属性情報に基づいて、デコードの設定を変更する。オーディオデコーダ２４は、上記デコードの設定で、逆多重化部２３が出力するオーディオコンポーネントを復号してオーディオデータを出力する。同様に、ビデオデコーダ２５は、逆多重化部２３が出力するビデオコンポーネントを復号してビデオデータを出力する。
【００３７】
表示制御部２７は、ビデオデータをディスプレイ２８に表示させる制御を行う。また、ディスプレイ２８は、表示制御部２７の制御に従ってビデオデータを表示する。一方、音声出力制御部３１は、オーディオデータをスピーカ３２に音声出力させる制御を行う。また、スピーカ３２は、音声出力制御部３１の制御に従ってオーディオデータを音声出力する。つまり、受信機２は、放送されるコンテンツの受信機能および再生（表示および音声出力）機能を備えたテレビジョン受像機である。なお、ディスプレイ２８およびスピーカ３２は、受信機２に外付けされた外部の装置であってもよい。
【００３８】
入力部２９は、受信機２に対するユーザ操作を受け付けて制御部３０に該操作の内容を通知する入力装置である。入力部２９は、例えば赤外線等で送信される、ユーザ操作の内容を示す信号を受信する受信部であってもよい。
【００３９】
制御部３０は、送信機１から受信した制御情報に従って受信機２が備える各部を制御する。具体的には、復号制御部３０１は、復号部２２を制御してコンテンツの復号を行わせる。また、逆多重化制御部３０２は、逆多重化部２３を制御してコンテンツの逆多重化を行わせる。
【００４０】
制御情報取得部３０３は、逆多重化部２３が逆多重化することによって出力された制御情報を取得し、制御情報に含まれるＡＩＴをアプリ制御部３０４に出力する。そして、アプリ制御部３０４は、制御情報取得部３０３が出力するＡＩＴに従って各種アプリケーションソフトウェア（以下、アプリと呼ぶ）の動作を制御する。具体的には、アプリ制御部３０４は、音声属性情報取得部３０５と選択部３０６とを起動させ、また起動終了させる制御を行う。
【００４１】
音声属性情報取得部３０５および選択部３０６は、アプリによってその機能が実現されるものである。音声属性情報取得部３０５は、通信Ｉ／Ｆ２１を介して送信機１から音声属性情報を取得して選択部３０６およびオーディオデコーダ２４に送信する。選択部３０６は、音声データを切り替えるためのユーザ操作を受け付け、該ユーザ操作に応じた音声データの切り替えを行う。
【００４２】
〔ＡＩＴと音声属性情報の取得〕
続いて、ＡＩＴと音声属性情報の取得について、図３に基づいて説明する。図３は、放送信号（送信信号）と共に送信されるＡＩＴと該ＡＩＴに従ったアプリの起動例を示す図である。
【００４３】
同図の（ａ）には、ＡＩＴに従って１つのアプリ（音声属性情報取得部３０５）を起動する例を示している。図示のように、ＡＩＴは放送信号と共に送信されており、同一サービスの選局が維持されている間は、そのサービスのＡＩＴが定期的に送信される。
【００４４】
ここで、送信機１が送信するＡＩＴには、音声属性情報取得部３０５を自動で起動することを示す記述が含まれており、このＡＩＴを受信した受信機２では、この記述に従って音声属性情報取得部３０５を起動する。起動した音声属性情報取得部３０５は、ＡＩＴに基づいて送信機１に対して、通信Ｉ／Ｆ２１および通信経路を介して音声属性情報の送信を要求する。送信機１の音声属性通知部１５３は、受信機２からの要求に応じて、音声属性情報を通信経路にて送信機１に送信する。音声属性情報取得部３０５は、通信Ｉ／Ｆ２１を介して音声属性情報を受け取る。音声属性情報取得部３０５は、音声属性情報をオーディオデコーダ２４に送信する。その後、音声属性情報取得部３０５の起動を終了する。なお、音声属性情報の取得先（送信機１）は、例えばＵＲＬ（Uniform Resource Locator）等の形式でＡＩＴに記述されていてもよい。
【００４５】
本実施形態では、音声属性情報取得部３０５は、通信経路にて取得した音声属性情報に基づいて、放送経路にて受信される上記コンテンツのオーディオコンポーネントから音声を受信機２にて再生可能か否かを判定する。この判定は、オーディオデコーダ２４が上記オーディオコンポーネントをデコードする前に行うことができるので、従来よりも迅速に行うことができる。
【００４６】
一方、同図の（ｂ）には、ＡＩＴに従って２つのアプリ（音声属性情報取得部３０５と選択部３０６）を起動する例を示している。この例においても、送信機１が送信するＡＩＴには、音声属性情報取得部３０５を自動で起動することを示す記述が含まれており、このＡＩＴを受信した受信機２では、この記述に従って音声属性情報取得部３０５を起動する。
【００４７】
また、この例では、起動した音声属性情報取得部３０５によって音声属性情報が取得されると、ＡＩＴに従って選択部３０６を起動する。そして、起動した選択部３０６によって、音声データを切り替えるユーザ操作を受け付ける。該ユーザ操作が入力部２９を介して入力されると、該ユーザ操作に応じて音声データの切り替えが実行される。その後、音声属性情報取得部３０５および選択部３０６の起動を終了する。
【００４８】
ここで、一般にテレビ放送では、放送される音声データの形式（フォーマットまたはチャンネル数等）が変化しうる。このようなケースに対応するため、送信機１の音声属性通知部１５３は、通知する音声属性情報を、新たな音声データに対応するものに更新する。また、制御情報生成部１５４は、生成するＡＩＴを更新すると共にＡＩＴのバージョン情報も更新する。そして、受信機２のアプリ制御部３０４は、定期的に（例えば新たなＡＩＴを受信したタイミングや、ＡＩＴのバージョンが変わったタイミングで）音声属性情報取得部３０５を起動して、再度音声属性情報を取得させる。音声属性情報取得部３０５は、オーディオデコーダ２４に新しい音声属性情報を伝達する。これにより、音声の変化に応じた適切な処理が可能となる。
【００４９】
図４は、音声属性情報の具体例を表形式で示す図である。音声属性情報には、音声のチャンネル数（ＣＨ１）、サブウーファ（ＳＷ）のチャンネル数（ＣＨ２）、音声フォーマット（Format）、音声のサンプリング周波数（Sampl_freq）、音声の量子化ビット数（Bit_rate）、ならびに、サイマル放送の形態（Simul）およびチャンネル（Simul_CH）が、それぞれコード化されて順番に格納される。
【００５０】
本実施形態の放送信号伝送システム５は、超高詳細度テレビジョン放送システムに対応するものである。このため、図４の例では、音声フォーマット（Format）には、ＰＣＭ（Pulse Code Modulation）、ＭＰＥＧ２（Moving Picture Experts Group phase 2）−ＡＡＣ（Advanced Audio Coding）、ＭＰＥＧ４−ＡＡＣ、ＭＰＥＧ２−ＡＣ３（Audio Code number 3）等があり、それぞれが４ビットコードに割り当てられている。また、２２．２ｃｈの３次元音響に対応するため、音声のチャンネル数（ＣＨ１）は、０〜２４の範囲内であり、それぞれが５ビットコードに割り当てられ、また、ＳＷのチャンネル数（ＣＨ２）は、０〜２の範囲内であり、それぞれが２ビットコードに割り当てられている。さらに、音声のサンプリング周波数（ｋＨｚ）は、１６、２２．０５、２４、３２、４４．１、４８、９６、１９２等があり、それぞれが４ビットコードに割り当てられている。また、音声の量子化ビット数（bit）は、８、１０、１６、２４、３２等があり、それぞれが３ビットコードに割り当てられている。これらは送信機１から放送される音声データについての属性情報を示す。
【００５１】
ところで、サイマル放送とは、１つの放送局が同じ時間帯に同じ番組を、異なるチャンネル（周波数帯）、異なる放送方式、または異なる放送媒体で放送することをいう。図４の例では、サイマル放送の形態（Simul）には、地上デジタル放送、ＢＳ（Broadcasting Satellite）デジタル放送、ＣＳ（Communications Satellite）デジタル放送、インターネット等があり、それぞれが４ビットのコードに割り当てられている。また、サイマル放送のチャンネル（Simul_CH）には、１ｃｈ〜１０００ｃｈがあり、それぞれが１２ビットコードに割り当てられている。サイマル放送の形態（Simul）およびサイマル放送のチャンネル（Simul_CH）は、送信機１の放送に関連するサイマル放送についての形態およびチャンネルを示す。また、図示はしないが、音声属性情報は、サイマル放送についての、音声のチャンネル数（ＣＨ１）、サブウーファ（ＳＷ）のチャンネル数（ＣＨ２）、音声フォーマット（Format）、音声のサンプリング周波数（Sampl_freq）、および音声の量子化ビット数（Bit_rate）等を含んでもよい。なお、送信機１の放送に関連するサイマル放送が複数ある場合、音声属性情報は、複数のサイマル放送についての上記属性情報を含んでもよい。インターネット等の通信経路にて音声属性情報を受信機２に送信する場合、大容量のデータを送ることができる。そのため、例えば、送信機１の放送だけでなく、サイマル放送の音声フォーマット等の再生に必要な属性情報も、音声属性情報に含めることができる。また、送信機１は、通信経路にて音声属性情報と共に、放送される音声データとは音声フォーマット等の属性が異なる音声データ自体を受信機２に送信してもよい。受信機２は、通信経路にて送信された音声データを選択的に再生することができる。なお、サイマル放送としては、ワンセグ放送、ラジオ放送などを利用してもよい。
【００５２】
〔音声属性情報に関する受信機の処理〕
次に、音声属性情報に関する受信機２の処理について図５に基づいて説明する。図５は、音声属性情報に関して受信機２の制御部３０で実行される処理の一例を示すフローチャートである。
【００５３】
まず、制御部３０の音声属性情報取得部３０５は、ＡＩＴで指定された送信機１から、通信経路にて音声属性情報を取得する（Ｓ１）。取得された音声属性情報には、送信機１が放送する音声データに関する属性情報の他に、他の送信機によってサイマル放送されている音声データに関する属性情報も含みうる。
【００５４】
次に、音声属性情報取得部３０５は、取得した音声属性情報から送信機１が放送する音声データの音声フォーマットを抽出し、抽出した音声フォーマットが、受信機２のオーディオデコーダ２４にてデコード可能なものであるか否かを判断する（Ｓ２）。デコード可能である場合（Ｓ２にてＹＥＳ）、音声属性情報取得部３０５は、上記音声属性情報から送信機１が放送する音声データの音声のチャンネル数を抽出し、抽出した音声のチャンネル数がオーディオデコーダ２４にてデコード可能なものであるか否かを判断する（Ｓ３）。デコード可能である場合（Ｓ３にてＹＥＳ）、音声属性情報取得部３０５は、上記音声属性情報をオーディオデコーダ２４に送信して、当該音声属性情報に基づいて音声データのデコードを行うようにオーディオデコーダ２４に指示して（Ｓ４）、処理を終了する。
【００５５】
一方、上記音声フォーマットがオーディオデコーダ２４にてデコード不能である場合（Ｓ２にてＮＯ）、または、上記音声のチャンネル数がオーディオデコーダ２４にてデコード不能である場合（Ｓ３にてＮＯ）、音声属性情報取得部３０５は、取得した音声属性情報からサイマル放送の形態、チャンネル、音声フォーマット、および音声のチャンネル数を取得する（Ｓ５）。音声属性情報取得部３０５は、受信機２のオーディオデコーダ２４にてデコード可能なサイマル放送が存在するか否かを判断する（Ｓ６）。受信機２のオーディオデコーダ２４にてデコード可能なサイマル放送が存在する場合（Ｓ６にてＹＥＳ）、音声属性情報取得部３０５は、該サイマル放送に切り替えて受信するようにチューナ２０を制御する（Ｓ７）。音声属性情報取得部３０５は、切り替えたサイマル放送の音声属性情報に基づいて音声データのデコードを行うようにオーディオデコーダ２４に指示して（Ｓ４）、処理を終了する。
【００５６】
一方、受信機２のオーディオデコーダ２４にてデコード可能なサイマル放送が存在しない場合（Ｓ６にてＮＯ）、音声属性情報取得部３０５は、音声データが非対応である旨のコーションをディスプレイ２８に表示するように、表示制御部２７に指示して（Ｓ８）、処理を終了する。
【００５７】
なお、受信機２がチューナ２０、復号部２２、逆多重化部２３を２つずつ備える場合、送信機１が放送するビデオコンポーネントをビデオデコーダ２５でデコードし、サイマル放送のオーディオコンポーネントをオーディオデコーダ２４でデコードしてもよい。このようにして音声だけをサイマル放送に切り替えることができる。受信機２が複数の放送を同時再生することができない場合、受信機２は、音声と共に映像についても、送信機１の放送からサイマル放送に切り替える。
【００５８】
なお、図５に示すフローチャートでは、音声属性情報における音声フォーマットおよび音声のチャンネル数について、それぞれデコード可能か否かを判断しているが、ＳＷのチャンネル数、サンプリング周波数、量子化ビット数など、音声の再生に必要なその他の情報についても、それぞれデコード可能か否かを判断してもよい。この場合、図５に示すステップＳ２およびＳ３を、下記の処理に変更すればよい。
【００５９】
すなわち、音声属性情報取得部３０５は、取得した音声属性情報から、受信した音声の再生に必要な各種情報を抽出し、抽出した情報の全てが、受信機２のオーディオデコーダ２４にてデコード可能なものであるか否かを判断する（Ｓ２’）。デコード可能なものである場合（Ｓ２’にてＹＥＳ）、ステップＳ４に進む。一方、デコード不能なものである場合（Ｓ２’にてＮＯ）、ステップＳ５に進む。
【００６０】
〔コンテンツとの同期〕
上述のように、送信機１は、放送経路にてコンテンツを送信すると共に、通信経路にてそのコンテンツの音声属性情報を送信する。そして、受信機２は、通信経路にて受信した音声属性情報に基づいて放送経路にて送信される上記コンテンツの音声データを再生する。このように、コンテンツとは異なる経路で音声属性情報を送信する場合、コンテンツの音声の属性の切り替わりと高精度に同期させて、適用する音声属性情報も変化させるための仕組みが必要となる。
【００６１】
例えば、図６に示すように、音声の属性が変化するタイミングをクロック（ＰＣＲ：Program Clock Reference）で規定したタイミング指定情報を送信機１から通信経路にて受信機２に送信することにより、コンテンツの音声の属性が切り替わるタイミングで、適用する音声属性情報を変化させることができる。図６は、タイミング指定情報と、該タイミング指定情報に応じた音声の属性の変化の例を示す図である。なお、ＰＣＲは、ハイブリッドキャスト放送において、放送コンテンツと通信コンテンツとを同期させるために使用される時刻情報である。
【００６２】
図６の例では、ＰＣＲ（１）となったタイミングにおけるコンテンツの音声の属性は音声（１）であり、これがＰＣＲ（２）となると音声（２）に、ＰＣＲ（３）となると音声（３）に切り替わっている。このような音声の属性の変化は、例えば同図の左上に示すように、ＰＣＲとそのときの音声の属性（音声属性情報）とを対応付けたタイミング指定情報として表すことができる。
【００６３】
なお、このようなタイミング指定情報は、コンテンツの放送スケジュールや、コンテンツの途中に放送される広告コンテンツ等に基づいて、音声の属性が変化するタイミングおよび変化後にどのような音声の属性となるかを送信機１において予め取得しておくことによって生成することができる。
【００６４】
そして、このようなタイミング指定情報を受信した受信機２では、音声属性情報取得部３０５が、該タイミング指定情報の示すタイミングに、該タイミングに対応付けられた音声属性情報をオーディオデコーダ２４に通知する。これにより、タイミング指定情報の示すタイミングで属性が異なる音声の処理を行うことが可能になる。
【００６５】
〔実施形態２〕
本発明の他の実施形態について、図７〜図８に基づいて説明すれば、以下のとおりである。なお、説明の便宜上、前記実施形態にて説明した部材と同じ機能を有する部材については、同じ符号を付記し、その説明を省略する。放送信号伝送システム５、送信機１、および受信機２のブロック構成は図１〜図２に示すものと同じである。
【００６６】
本実施形態では、送信機１の放送およびサイマル放送に含まれる複数の音声から、再生する音声をユーザに選択させる形態について説明する。例えば、送信機１の放送に含まれる音声コンポーネントは、音声のチャンネル数が２２．１ｃｈであり、音声フォーマットがＭＰＥＧ２−ＡＣ３である。サイマル放送に含まれる音声コンポーネントは、音声のチャンネル数が５．１ｃｈであり、音声フォーマットがＬＰＣＭ（Linear PCM）である。
【００６７】
一方、受信機２は、複数セットの音声フォーマットおよび上記チャンネル数に対応可能である。本実施形態では、送信機１の放送およびサイマル放送に含まれる複数の音声コンポーネントのうち、オーディオデコーダ２４にて対応可能なものの情報をディスプレイ２８にて表示し、ユーザが選択した音声コンポーネントに対しオーディオデコーダ２４がデコードを行う。これにより、ユーザの所望する音声コンポーネントから音声を再生することができ、その結果、ユーザの利便性が向上する。
【００６８】
ユーザが音声の属性の選択を行う場合、音声属性情報取得部３０５に加え、選択部３０６を起動し、この選択部３０６によってユーザ操作を受け付ける。このため、音声の属性の選択のためのユーザ操作を受け付ける場合には、選択部３０６を起動させるための記述をＡＩＴに含めておく。
【００６９】
まず、制御情報取得部３０３は、逆多重化部２３が出力する信号からＡＩＴを抽出してアプリ制御部３０４に出力し、アプリ制御部３０４はこのＡＩＴに従って音声属性情報取得部３０５を起動する。音声属性情報取得部３０５は、ユーザに音声の属性を選択させる場合、アプリ制御部３０４に選択部３０６を起動させる。
【００７０】
音声属性情報取得部３０５は、取得した音声属性情報に含まれる送信機１の放送およびサイマル放送の音声の属性情報から、それら複数の音声コンポーネントをオーディオデコーダ２４にてデコード可能か否かを判断する機能を有する。また、選択部３０６は、デコード可能と判断された音声コンポーネントに関する音声のチャンネル数および音声フォーマットを表示するための選択用画像データを作成する。選択部３０６は、選択用画像データを表示制御部２７に出力する。表示制御部２７は、ビデオデコーダ２５からのビデオデータに対し、選択用画像データを重畳してディスプレイ２８に表示させる。
【００７１】
図７は、上記デコード選択用画像データがディスプレイ２８に表示された画面の一例を示す図である。図示の表示画面では、下部に、デコード可能な音声コンポーネントに関する音声のチャンネル数および音声フォーマットのセットが表示され、残りの領域に、例えば映像コンポーネントの映像など、その他の各種情報が表示されている。なお、現在受信している音声のチャンネル数および音声フォーマットのセットを矢印または太枠等で強調表示してもよい。
【００７２】
選択部３０６は、入力部２９を介してユーザによる音声属性（音声のチャンネル数および音声フォーマットのセット）の選択を受け付ける。ユーザが、下部に表示されているセットの何れかを選択すると、選択部３０６は、選択されたセットの音声コンポーネントを含む放送を受信するように、受信する放送を切り替えるようチューナ２０に指示する。そして、選択部３０６は、映像コンポーネントの映像のみを表示する通常の表示画面に戻すよう表示制御部２７に指示する。
【００７３】
次に、本実施形態において、音声属性情報に関する受信機２の処理について図８に基づいて説明する。図８は、音声属性情報に関して受信機２で実行される処理の一例を示すフローチャートである。図８に示す処理は、図５に示す処理に比べて、ステップＳ２１〜Ｓ２３の処理が追加されており、その他の処理は同様である。
【００７４】
ステップＳ２１では、上記音声フォーマットがオーディオデコーダ２４にてデコード可能であり（Ｓ２にてＹＥＳ）、かつ、上記音声のチャンネル数がオーディオデコーダ２４にてデコード可能である場合（Ｓ３にてＹＥＳ）、音声属性情報取得部３０５は、受信可能かつデコード可能な音声コンポーネントが複数あるか否かを判断する。受信可能かつデコード可能な音声コンポーネントが１つである場合（Ｓ２１にてＮＯ）、ステップＳ４に進む。
【００７５】
一方、受信可能かつデコード可能な音声コンポーネントが複数ある場合（Ｓ２１にてＹＥＳ）、音声属性情報取得部３０５は、音声属性情報を選択部３０６に出力する。選択部３０６は、上記選択用画像データを表示制御部２７に出力することにより、上記音声コンポーネントの音声のチャンネル数と音声フォーマットとのセットを、上記音声コンポーネントごとに表示する（Ｓ２２）。そして、選択部３０６は、複数の音声コンポーネントのうち、ユーザに選択されたセットの音声コンポーネントに切り替える（Ｓ２３）。すなわち、選択部３０６は、ユーザに選択されたセットの音声コンポーネントを含む放送を受信するように、受信する放送を切り替えるようチューナ２０に指示して、処理を終了する。
【００７６】
なお、図８に示すフローチャートにおいても、ステップＳ２およびＳ３の処理を、上述のようにステップＳ２’の処理に変更してもよい。この場合、デコード可能なものである場合（Ｓ２’にてＹＥＳ）、ステップＳ４の代わりにステップＳ２１に進めばよい。
【００７７】
〔変形例〕
なお、本実施形態は、同じコンテンツの複数の放送において、デコード可能な音声コンポーネントが複数存在する場合に関するものである。一方、オーディオデコーダ２４の中には、２２．２ｃｈの音声コンポーネントを、例えば５．１ｃｈ、２ｃｈなどの音声データにダウンコンバート可能なものが存在する。
【００７８】
そこで、本実施形態を、オーディオデコーダ２４がダウンコンバート可能な音声コンポーネントが存在する場合に適用することもできる。この場合、選択部３０６は、図７に示す表示画面において、ユーザが選択可能な音声のチャンネル数（例えば、２２．２ｃｈ、５．１ｃｈ、２ｃｈなど）を下部に表示するような画像データを表示制御部２７に出力し、ユーザが選択した音声のチャンネル数の音声データを出力するように、オーディオデコーダ２４に指示すればよい。
【００７９】
なお、デコード可能なサイマル放送が複数ある場合（Ｓ６でＹＥＳ）、追加的にステップＳ２２、Ｓ２３の処理を行い、受信するサイマル放送をユーザに選択させてもよい。
【００８０】
〔実施形態３〕
本発明の別の実施形態について、図９および図１０に基づいて説明すれば、以下のとおりである。なお、説明の便宜上、前記実施形態にて説明した部材と同じ機能を有する部材については、同じ符号を付記し、その説明を省略する。
【００８１】
ところで、受信機２では対応できない音声データであっても、受信機２に接続された外部の音声出力装置にて当該音声データに対応できる場合がある。そこで、本実施形態では、受信機２は、取得した音声属性情報に基づき上記の場合に該当すると判定すると、当該音声データに対しデコードは行わず、当該音声データをそのままの形式で音声出力装置（音声再生装置）６に転送している。これにより、上記音声データが自装置にて再生不能であっても、外部の音声出力装置６にて迅速に再生して出力することができる。
【００８２】
図９は、本実施形態に係る放送信号伝送システム５の要部構成の一例を示すブロック図である。本実施形態に係る放送信号伝送システム５は、図１に示す放送信号伝送システム５に比べて、受信機２と通信可能に接続された音声出力装置６が追加されている点が異なる。なお、送信機１の図示は省略している。また、図９に示す受信機２は、図２に示す受信機２に比べて、切替部（転送手段）３３および音声出力用通信Ｉ／Ｆ（外部属性取得手段、転送手段）３４が追加されている点と、制御部３０において音声属性情報取得部３０５に代えて、音声属性情報取得部（制御情報取得手段、判定手段、外部属性取得手段、転送手段）３０５ａが設けられている点とが異なり、その他の構成は同様である。図９において、一部の機能ブロックは図示を省略している。
【００８３】
音声出力装置６は、外部から受信した音声データに基づき音声を出力するものである。音声出力装置６は、受信機２におけるオーディオデコーダ２４、音声出力制御部３１、スピーカ３２、および音声出力用通信Ｉ／Ｆ３４と同様の機能ブロックを備えている。
【００８４】
切替部３３は、逆多重化部２３とオーディオデコーダ２４との間に設けられ、逆多重化部２３からのオーディオコンポーネントの出力先を、オーディオデコーダ２４および音声出力用通信Ｉ／Ｆ３４の何れかに、制御部３０からの指示に基づき切り替えるものである。
【００８５】
音声出力用通信Ｉ／Ｆ３４は、外部の音声出力装置６とデータ通信を行うためのものである。本実施形態では、音声出力装置６および音声出力用通信Ｉ／Ｆ３４は、例えば、ＳＰＤＩＦ（Sony Philips Digital InterFace）、ＡＲＣ（Audio Return Channel）などのように、デジタルオーディオ信号を、そのままの形式で出力するビットストリーム出力に対応可能なものである。なお、音声出力装置６および音声出力用通信Ｉ／Ｆ３４間の通信は、有線通信であってもよいし、無線通信であってもよい。
【００８６】
音声属性情報取得部３０５ａは、図２に示す音声属性情報取得部３０５に比べて、以下の機能が追加されており、その他の機能は同様である。すなわち、音声属性情報取得部３０５ａは、音声出力装置６が対応（再生）可能な音声の属性（音声のチャンネル数、ＳＷのチャンネル数、音声フォーマットなど）を、外部属性情報として音声出力用通信Ｉ／Ｆ３４を介して取得する機能を有する。
【００８７】
また、音声属性情報取得部３０５ａは、送信機１から通信経路で取得した音声属性情報と、音声出力用通信Ｉ／Ｆ３４からの外部属性情報とに基づき、切替部３３に切替指示を行う機能を有する。具体的には、音声属性情報取得部３０５ａは、逆多重化部２３からの音声データが、自機のオーディオデコーダ２４では対応できないものではあるが、音声出力装置６で対応可能なものである場合、上記音声データを、音声出力用通信Ｉ／Ｆ３４に出力するように、切替部３３に切替指示を行う。これにより、上記音声データは、音声出力用通信Ｉ／Ｆ３４を介して音声出力装置６にそのままの形式で出力する。なお、音声属性情報取得部３０５ａは、上記の場合以外の場合、上記音声データを、オーディオデコーダ２４に出力するように、切替部３３に切替指示を行う。
【００８８】
次に、本実施形態において、音声属性情報に関する受信機２の処理について図１０に基づいて説明する。図１０は、音声属性情報に関して受信機２で実行される処理の一例を示すフローチャートである。図１０に示す処理は、図５に示す処理に比べて、ステップＳ１１・Ｓ１２の処理が追加されており、その他の処理は同様である。
【００８９】
ステップＳ１１では、上記音声フォーマットがオーディオデコーダ２４にてデコード不能である場合（Ｓ２にてＮＯ）、または、上記音声のチャンネル数がオーディオデコーダ２４にてデコード不能である場合（Ｓ３にてＮＯ）、音声属性情報取得部３０５ａは、音声出力装置６から音声出力用通信Ｉ／Ｆ３４を介しての外部属性情報を参照して、上記音声フォーマットおよび上記音声のチャンネル数は音声出力装置６にて対応可能かを判断する。上記音声フォーマットおよび上記音声のチャンネル数は音声出力装置６にて対応不能である場合（Ｓ１１にてＮＯ）、ステップＳ５に進む。
【００９０】
一方、上記音声フォーマットおよび上記音声のチャンネル数は音声出力装置６にて対応可能である場合（Ｓ１１にてＹＥＳ）、音声属性情報取得部３０５ａは、切替部３３に切替指示を行って、逆多重化部２３からの音声データをそのままの形式で、音声出力用通信Ｉ／Ｆ３４を介して外部の音声出力装置６に転送して（Ｓ１２）、処理を終了する。
【００９１】
なお、図１０に示すフローチャートにおいても、ステップＳ２およびＳ３の処理を、上述のようにステップＳ２’の処理に変更してもよい。この場合、デコード不能なものである場合（Ｓ２’にてＮＯ）、ステップＳ５の代わりにステップＳ１１に進めばよい。
【００９２】
〔実施形態４〕
本発明の別の実施形態について、図１３に基づいて説明すれば、以下のとおりである。なお、説明の便宜上、前記実施形態にて説明した部材と同じ機能を有する部材については、同じ符号を付記し、その説明を省略する。
【００９３】
実施形態３においては、受信機２のスピーカ３２、または、受信機２に接続された音声出力装置６の何れかから音声を出力する構成としているが、スピーカ３２及び音声出力装置６の両方から音声を出力するように構成してもよい。
【００９４】
図１３は、本実施形態に係る放送信号伝送システム５の受信機２の要部構成の一例を示すブロック図である。本実施形態に係る放送信号伝送システム５は、図９に示す放送信号伝送システム５に比べて、２つの逆多重化部２３ａおよび２３ｂを備えている点と、切替部３３に代えてセレクタ３５が設けられている点とが異なり、その他の構成は同様である。
【００９５】
図示の受信機２は、２つのチューナ（不図示）および２つの復号部（不図示）を備えている。受信機２は、一方のチューナによりデジタル放送信号として送信されるコンテンツを受信し、当該コンテンツを一方の復号部により復号し、逆多重化部２３ａに出力する。また、受信機２は、他方のチューナにより、一方のチューナにより受信されたコンテンツのサイマル放送のコンテンツを受信し、当該コンテンツを他方の復号部により復号し、逆多重化部２３ｂに出力する。逆多重化部２３ａ及び２３ｂの各々の機能については、図９に示す受信機２の逆多重化部２３と同様である。
【００９６】
セレクタ３５は、オーディオデコーダ２４および音声出力用通信Ｉ／Ｆ３４に出力するオーディオコンポーネントを、逆多重化部２３ａから出力されるオーディオコンポーネント、または、逆多重化部２３ｂから出力されるオーディオコンポーネントの何れかに、制御部３０からの指示に基づき切り替えるものである。すなわち、本実施形態においては、オーディオデコーダ２４および音声出力用通信Ｉ／Ｆ３４の両方に対して、オーディオコンポーネントが出力されるように構成されている。
【００９７】
制御情報取得部３０３は、逆多重化部２３ａおよび／または２３ｂからの制御情報から抽出したＡＩＴをアプリ制御部３０４に出力する。音声属性情報取得部３０５ａは、ＡＩＴに従って、逆多重化部２３ａが出力する音声データの音声属性情報、および逆多重化部２３ｂが出力する音声データの音声属性情報を通信経路で取得する。音声属性情報取得部３０５ａは、通信経路で取得した音声属性情報と、音声出力用通信Ｉ／Ｆ３４からの外部属性情報とに基づき、セレクタ３５に切替指示を行う機能を有する。
【００９８】
音声属性情報取得部３０５ａからセレクタ３５に対して行う具体的な切替指示は以下の通りである。
【００９９】
（ケース１）
逆多重化部２３ａからの音声データが、オーディオデコーダ２４および音声出力装置６で対応可能である場合、オーディオデコーダ２４および音声出力用通信Ｉ／Ｆ３４に、上記音声データを出力するようにセレクタ３５に切替指示を行う。
【０１００】
（ケース２）
逆多重化部２３ａからの音声データが、オーディオデコーダ２４では対応できないものであり、かつ、音声出力装置６では対応可能である場合、オーディオデコーダ２４に対して逆多重化部２３ｂからの音声データを出力し、かつ、音声出力用通信Ｉ／Ｆ３４に対して逆多重化部２３ａからの音声データを出力するように、セレクタ３５に切替指示を行う。
【０１０１】
（ケース３）
逆多重化部２３ａからの音声データが、オーディオデコーダ２４では対応可能であり、かつ、音声出力装置６では対応できないものである場合、オーディオデコーダ２４に対して逆多重化部２３ａからの音声データを出力し、かつ、音声出力用通信Ｉ／Ｆ３４に対して逆多重化部２３ｂからの音声データを出力するように、セレクタ３５に切替指示を行う。
【０１０２】
これにより、受信機２は、スピーカ３２及び音声出力装置６の両方から音声を出力することができる。
【０１０３】
〔実施形態５〕
本発明の別の実施形態について、図１１〜図１２に基づいて説明する。なお、上記実施形態と同様の構成には同一の参照番号を付し、その説明を省略する。まず、本実施形態の放送信号伝送システム５００の概要を図１１に基づいて説明する。図１１は、放送信号伝送システム５００の概略構成を示す図である。
【０１０４】
図示のように、放送信号伝送システム５００には、送信機１００、受信機２００、音声属性情報管理サーバ３００、および端末装置（送信装置）４００が含まれている。放送信号伝送システム５００は、上記実施形態の放送信号伝送システム５と同様に、送信機１００から受信機２００に映像信号等を伝送するシステムである。送信機１００および音声属性情報管理サーバ３００は、同じ放送局に対応する。
【０１０５】
放送信号伝送システム５００では、端末装置４００にて音声属性情報管理サーバ３００から音声属性情報を取得し、取得した音声属性情報を受信機２００に送信する。なお、音声属性情報管理サーバ３００は、放送される各コンテンツの音声属性情報を管理するサーバであり、該サーバにアクセスしてコンテンツを通知することにより、そのコンテンツ対応する音声属性情報を取得することができる。放送信号伝送システム５００は、このような処理により、コンテンツに対してその音声属性情報に応じた適切な処理を行うことを可能にしている。
【０１０６】
〔受信機および端末装置の構成〕
続いて、受信機２００および端末装置４００構成を図１２に基づいて説明する。図１２は、受信機２００および端末装置４００の要部構成の一例を示すブロック図である。受信機２００は、図２の受信機２と概ね同様の構成であるが、ＡＩＴに従って音声属性情報を取得する機能を備えておらず、音声属性情報取得部３０５が端末装置４００から音声属性情報を取得する点で異なっている。なお、図１２では、制御部３０内のブロックとして音声属性情報取得部３０５のみを記載しているが、図２の復号制御部３０１、逆多重化制御部３０２等も制御部３０に含まれる。
【０１０７】
端末装置４００は、受信機２００のユーザが使用するものであり、受信機２００および音声属性情報管理サーバ３００との通信機能を備えた端末装置である。端末装置４００は、例えばスマートフォンやタブレット端末のような汎用の端末装置であってもよい。図示のように、端末装置４００は、通信Ｉ／Ｆ４０、制御部４１、表示部４２、および入力部４３を備えている。
【０１０８】
通信Ｉ／Ｆ４０は、端末装置４００が外部の装置、具体的には受信機２００および音声属性情報管理サーバ３００と通信経路にて通信するためのものである。通信Ｉ／Ｆ４０は、例えばインターネットのような通信網を介して通信を行う装置であってもよい。なお、受信機２００と通信を行うための通信Ｉ／Ｆと、音声属性情報管理サーバ３００と通信を行うための通信Ｉ／Ｆとが個別に設けられていてもよい。
【０１０９】
制御部４１は、端末装置４００の各部を統括して制御するものであり、音声属性取得部（音声属性取得手段）４１１、音声属性通知部（音声属性送信手段）４１２、および選択部（選択手段）４１３を含む。
【０１１０】
音声属性取得部４１１は、音声属性情報を取得する。具体的には、音声属性取得部４１１は、ユーザの指定したコンテンツ（放送されており、受信機２００で受信されているコンテンツ）の音声属性情報を、音声属性情報管理サーバ３００から取得する。そして、音声属性取得部４１１は、取得した音声属性情報を選択部４１３に送信する。なお、端末装置４００では音声の選択を行わない構成とすることも可能であり、この場合には、選択部４１３は、取得した音声属性情報を音声属性通知部４１２に送信し、音声属性通知部４１２はこの音声属性情報を受信機２００に送信する。
【０１１１】
音声属性通知部４１２は、選択部４１３が決定した音声の属性および音声属性情報を通信経路で（通信Ｉ／Ｆ４０を介して）受信機２００に通知する。なお、上記の通り、端末装置４００で音声の選択を行わない場合には、音声属性通知部４１２は、音声属性取得部４１１が取得した音声属性情報を通信Ｉ／Ｆ４０を介して受信機２００に通知する。
【０１１２】
選択部４１３は、音声属性取得部４１１が取得した音声属性情報に基づき、選択用画像データを表示部４２に表示させる。選択用画像データは、受信機２でデコード可能な音声コンポーネントの音声のチャンネル数と音声フォーマットとのセットを示す画像のデータである。そして、ユーザ操作に従って選択された音声に対応するサイマル放送を決定し、決定したサイマル放送を音声属性通知部４１２に送信する。これにより、当該サイマル放送が受信機２００に通知される。
【０１１３】
なお、端末装置４００の制御部４１は、受信機２でデコード可能な属性（音声のチャンネル数と音声フォーマット）の情報を予め受信機２から取得しておいてもよいし、ユーザに入力させてもよい。なお、選択部４１３における、音声の属性の選択方法は、実施形態２で説明したものと同様のものとすることができる。
【０１１４】
表示部４２は、制御部４１の制御に従って画像を表示する表示装置であり、入力部４３は端末装置４００に対するユーザの入力操作を受け付けて制御部４１に該操作の内容を通知する入力装置である。ここでは、表示部４２の表示面と入力部４３の入力面とが一体に構成されたタッチパネルである例を説明するが、表示部４２と入力部４３とは独立した別個の装置であってもよい。
【０１１５】
受信機２００の音声属性情報取得部３０５は、音声属性情報および選択された音声の属性の情報を通信Ｉ／Ｆ２１を介して受信する。音声属性情報取得部３０５は、音声属性情報をオーディオデコーダ２４に出力する、または、選択された音声の属性に対応するサイマル放送に切り替えるよう、チューナ２０に指示する。
【０１１６】
音声属性取得部４１１、音声属性通知部４１２、および選択部４１３の機能は、放送されているコンテンツの関連情報を表示させるアプリの機能として提供されてもよい。端末装置４００において、上記アプリを起動させ、ユーザが受信機２００にて視聴するコンテンツを選択すると、音声属性取得部４１１、音声属性通知部４１２、および選択部４１３が上記の動作を行う。
【０１１７】
以上のように、本実施形態の放送信号伝送システム５００によれば、ユーザは端末装置４００にて、受信機２００で再生される音声の属性を選択することができる。そして、この放送信号伝送システム５００では、送信機１００は、音声属性情報の取得や送信等のための処理を行う必要がなく、このため、従来の放送局で使用されているような一般的な送信機をそのまま適用することも可能である。
【０１１８】
また、この放送信号伝送システム５００では、受信機２００に音声の属性を選択するユーザ操作を受け付けるための構成を設ける必要がなく、端末装置４００にアプリをインストールするだけで音声の属性を選択するユーザ操作を受け付けることができる。よって、受信機２００の製造コストを増加させることなく、ユーザによる音声の属性の選択を簡易に実現することができる。
【０１１９】
〔変形例〕
上記実施形態の送信機１は、音声属性情報を通信経路で受信機２に送信する送信装置としての機能と、音声属性情報を取得するためのＡＩＴを生成する制御情報生成装置としての機能と、デジタル放送信号を放送経路で送信する放送信号送信装置としての機能とを備えていた。しかしながら、互いに独立した送信装置と制御情報生成装置と放送信号送信装置との組み合わせによっても、上記送信機１と同様の機能を実現することができる。例えば、音声属性情報を送信する送信装置と、上記ＡＩＴを生成する制御情報生成装置と、放送信号を送信する放送信号送信装置とを含む放送信号伝送システムであっても、上記送信機１と同様の機能を実現できる。また、例えば、音声属性情報を送信する送信装置と、上記ＡＩＴを生成する機能と放送信号を送信する機能とを備えた装置との組み合わせによっても、上記送信機１と同様の機能を実現できる。
【０１２０】
そして、上記各実施形態では、コンテンツを放送経路で送信する例を説明したが、コンテンツは通信経路で送信してもよい。また、放送経路で送信されるコンテンツと通信経路で送信されるコンテンツを組み合わせて再生してもよい。
【０１２１】
〔ソフトウェアによる実現例〕
送信機１、受信機２、受信機２００、および端末装置４００の制御ブロック（特に制御部１５、多重化部１２、暗号化部１３、送信部１４、復号部２２、逆多重化部２３、表示制御部２７、音声出力制御部３１、制御部３０、制御部４１）は、集積回路（ＩＣチップ）等に形成された論理回路（ハードウェア）によって実現してもよいし、ＣＰＵ（Central Processing Unit）を用いてソフトウェアによって実現してもよい。
【０１２２】
後者の場合、送信機１、受信機２、受信機２００、および端末装置４００は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１２３】
〔まとめ〕
本発明の態様１に係る送信装置は、放送経路と通信経路とを併用したハイブリッドキャストに対応した受信装置（受信機２）に情報を送信する送信装置（送信機１、端末装置４００）であって、上記受信装置に上記放送経路にて送信されるコンテンツの音声に関する属性情報を取得する属性取得手段（音声属性取得部１５２、４１１）と、上記属性情報を上記通信経路にて上記受信装置に送信する属性情報送信手段（音声属性通知部１５３、４１２）とを備えている。
【０１２４】
上記の構成によれば、音声に関する属性情報を通信経路にて受信装置に送信する。そのため、受信装置に、放送経路で受信したコンテンツの音声データをデコードする前に、迅速に該音声データの属性を取得させることができる。よって、上記の構成によれば、該属性情報を受信した受信装置に、該コンテンツを該属性情報に応じて適切な処理を行って音声出力させることができる。また、受信装置に、コンテンツの音声データをデコードするための設定を従来よりも迅速に行わせることができる。
【０１２５】
本発明の態様２に係る送信装置では、上記態様１において、上記属性情報送信手段は、上記属性情報と共に上記通信経路にて、上記コンテンツの音声を、上記放送経路にて送信される上記コンテンツの音声とは異なる属性の音声データとして送信する構成であってもよい。
【０１２６】
上記の構成によれば、受信装置は、再生する音声を、放送経路にて送信されるコンテンツの音声データと、通信経路にて送信される音声データとから選ぶことができる。２つの音声データは属性が異なるので、受信装置はいずれかの属性に対応していれば、当該コンテンツに関する音声を再生することができる。そのため、受信装置のオーディオデコーダが特定の属性に対応していない等の理由により音声が再生できないという状況を改善することができる。
【０１２７】
本発明の態様３に係る送信装置では、上記態様１または２において、上記属性情報送信手段は、上記属性情報を適用すべきタイミングを示すタイミング指定情報を送信する構成であってもよい。
【０１２８】
上記の構成によれば、音声の属性があるタイミングで変化する場合であっても、タイミング指定情報が示すタイミングで、上記属性情報に応じて音声データを処理することができる。
【０１２９】
本発明の態様４に係る制御情報生成装置は、放送経路と通信経路とを併用したハイブリッドキャストに対応した受信装置に送信されるコンテンツの再生に関する制御情報を生成する制御情報生成装置（送信機１、１００）であって、上記コンテンツの音声に関する属性情報を上記受信装置において取得するための制御情報（ＡＩＴ）を生成する制御情報生成手段（制御情報生成部１５４）と、上記放送経路にて上記受信装置に上記制御情報を送信する制御情報送信手段（送信部１４）とを備えている。
【０１３０】
上記の構成によれば、音声に関する属性情報を取得するための制御情報を生成して受信装置に送信するので、該受信装置に該制御情報を用いて属性情報を迅速に取得させることができる。それゆえ、受信装置に、放送経路で受信したコンテンツの音声データをデコードする前に、該音声データの属性を取得させることができる。上記の構成によれば、受信装置に、コンテンツを該属性情報に応じて適切な処理を行って音声出力させることができる。また、受信装置に、コンテンツの音声データをデコードするための設定を従来よりも迅速に行わせることができる。
【０１３１】
本発明の態様５に係る制御情報生成装置では、上記態様４において、上記制御情報送信手段は、上記制御情報を上記コンテンツと共にデジタル放送信号として上記受信装置に送信する構成であってもよい。
【０１３２】
本発明の態様６に係る受信装置は、放送経路と通信経路とを併用したハイブリッドキャストに対応した受信装置であって、再生対象のコンテンツの音声に関する属性情報を取得するための制御情報を取得する制御情報取得手段と、上記制御情報に従って上記通信経路にて取得された上記属性情報に応じて、上記コンテンツの音声に関する処理を変更する音声処理変更手段とを備えている。
【０１３３】
上記の構成によれば、受信装置は、音声に関する属性情報を通信経路にて取得する。受信装置は、放送経路で受信したコンテンツの音声データをデコードする前に、迅速に該音声データの属性を取得することができる。それゆえ、受信装置は、該コンテンツを該属性情報に応じて適切な処理を行って音声出力することができる。また、受信装置は、コンテンツの音声データをデコードするための設定を従来よりも迅速に行うことができる。
【０１３４】
本発明の態様７に係る受信装置では、上記態様６において、上記属性情報に基づいて、上記コンテンツの音声を自装置にて再生可能かを判定する判定手段を備える構成であってもよい。
【０１３５】
上記の構成によれば、受信装置は、コンテンツの音声データをデコードする前に、該音声データが自装置にて再生可能かを判定することができ、その結果、当該判定を従来よりも迅速に行うことができる。
【０１３６】
本発明の態様８に係る受信装置では、上記態様７において、上記コンテンツの音声を自装置にて再生不可能と判定された場合、上記属性情報から、上記コンテンツのサイマル放送を特定し、自装置にて音声を再生可能な上記サイマル放送に切り替える切替手段を備える構成であってもよい。
【０１３７】
上記の構成によれば、オーディオデコーダが送信装置から受信したコンテンツの音声の属性に対応していない場合であっても、サイマル放送に切り替えることによって、同じコンテンツの音声を再生することができるようになる。そのため、音声が再生できないという状況を改善することができる。
【０１３８】
本発明の態様９に係る受信装置では、上記態様６から８において、上記属性情報は、上記コンテンツのサイマル放送の音声に関する属性の情報を含み、上記サイマル放送を含む複数の放送の中から、音声を再生する放送をユーザに選択させる選択手段を備える構成であってもよい。
【０１３９】
上記の構成によれば、ユーザはサイマル放送を含む複数の放送の中から、所望の属性の音声の放送を選択することができる。
【０１４０】
本発明の態様１０に係るテレビジョン受像機は、上記態様６から９のいずれかの受信装置を含んでいる。
【０１４１】
本発明の態様１１に係る放送信号伝送システムは、放送経路と通信経路とを併用したハイブリッドキャストに対応した受信装置にコンテンツを送信する送信装置と該コンテンツを受信する受信装置とを含む放送信号伝送システムであって、上記送信装置は、上記コンテンツの音声に関する属性情報を上記受信装置において取得するための制御情報を上記コンテンツと共に上記放送経路にて上記受信装置に送信し、上記受信装置は、上記制御情報に従って上記属性情報を上記通信経路にて取得し、上記属性情報に応じて上記コンテンツの音声に関する処理を変更する。
【０１４２】
本発明の態様１２に係る放送信号伝送システムでは、上記態様１１において、上記属性情報は、上記コンテンツの音声を再生するのに必要な情報を含む構成であってもよい。
【０１４３】
本発明の態様１３に係る放送信号伝送システムでは、上記態様１１または１２において、上記属性情報は、上記コンテンツのサイマル放送を特定するための情報を含む構成であってもよい。
【０１４４】
本発明の各態様に係る送信装置、制御情報生成装置、および受信装置は、コンピュータによって実現してもよく、この場合には、コンピュータを上記送信装置、制御情報生成装置、または受信装置が備える各手段として動作させることにより上記送信装置、制御情報生成装置、または受信装置をコンピュータにて実現させる制御プログラム、およびそれを記録したコンピュータ読み取り可能な記録媒体も、本発明の範疇に入る。
【０１４５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１４６】
本発明は、ハイブリッドキャストに関連する各種機器に利用することができる。
【符号の説明】
【０１４７】
１、１００  送信機（送信装置、制御情報生成装置）
１４  送信部（制御情報送信手段）
１５２、４１１  音声属性取得部（属性取得手段）
１５３、４１２  音声属性通知部（属性情報送信手段）
１５４  制御情報生成部（制御情報生成手段）
２、２００  受信機（受信装置、テレビジョン受像機）
２４  オーディオデコーダ（音声処理変更手段）
３００  音声属性情報管理サーバ
３０３  制御情報取得部（制御情報取得手段）
３０５、３０５ａ  音声属性情報取得部（判定手段）
３０６、４１３  選択部（音声処理変更手段、切替手段、選択手段）
４００  端末装置（送信装置）
５、５００  放送信号伝送システム
【図１】
2018207495.tif 000003
【図２】
2018207495.tif 000004
【図３】
2018207495.tif 000005
【図４】
2018207495.tif 000006
【図５】
2018207495.tif 000007
【図６】
2018207495.tif 000008
【図７】
2018207495.tif 000009
【図８】
2018207495.tif 000010
【図９】
2018207495.tif 000011
【図１０】
2018207495.tif 000012
【図１１】
2018207495.tif 000013
【図１２】
2018207495.tif 000014
【図１３】
2018207495.tif 000015